(57)【要約】      （修正有）【課題】トランクスなどの伸縮性のない綿などの非伸縮性素材により形成されたアンダーパンツにおいて、その太股部分のフィット感を改善したアンダーパンツを提供する。【解決手段】非伸縮性素材により形成された前身頃部２と、非伸縮性素材により形成された後身頃部と、前身頃部２と後身頃部との接続部に伸縮性素材により形成された伸縮部４とを有するアンダーパンツ１であり、前身頃部２および後身頃部により非伸縮性素材の肌触りが得られるとともに、前身頃部２と後身頃部との接続部に伸縮性素材により形成された伸縮部４が伸縮することによって太股部分のフィット感が得られる。【選択図】図１
0003210370.tif 000002
【実用新案登録請求の範囲】
【請求項１】
非伸縮性素材により形成された前身頃部と、
非伸縮性素材により形成された後身頃部と、
前記前身頃部と前記後身頃部との接続部に伸縮性素材により形成された伸縮部と
を有するアンダーパンツ。
【請求項２】
前記前身頃部および前記後身頃部の上端部に形成された伸縮性の腰回り部を有し、
前記伸縮部は、前記腰回り部を除く前記前身頃部と前記後身頃部との外側の接続部の全体に設けられたものである請求項１記載のアンダーパンツ。
【請求項３】
前記伸縮部は、下方に向かうにつれて幅広となるように設けられたものである請求項１または２に記載のアンダーパンツ。
【請求項４】
前記伸縮部は、前記前身頃部と前記後身頃部との内側の接続部に設けられたものである請求項１から３のいずれか１項に記載のアンダーパンツ。
【請求項５】
前記非伸縮性素材は綿であり、前記伸縮性素材はゴムである請求項１から４のいずれか１項に記載にアンダーパンツ。
【考案の詳細な説明】
【技術分野】
【０００１】
本発明は、直接肌に着けるアンダーパンツに関する。
【背景技術】
【０００２】
男性用のアンダーパンツとしては、ブリーフやトランクスなどが知られている。ブリーフは一般的に伸縮性がある素材により形成されて身体に密着し、一方、トランクスは一般的に伸縮性がない綿により形成されて身体に密着しないため開放感があるなどの特徴があり、どちらを選択するかは好みが分かれるところである。また、トランクスの形でブリーフと同じ伸縮性がある素材により形成されたボクサーブリーフなどもある。
【０００３】
また、例えば特許文献１に記載のように、本体領域と、着用時に局部を覆う前当領域と、両者を連結する帯状領域とを含み、本体領域は、前身頃領域と後身頃領域とを含み、前当領域は、着用時における前方向に突出した凸状であり、帯状領域は、略Ｕ字状のメッシュ部材であり、着用時において局部の左右両側と下側とを囲むように配置され、帯状領域において、局部の下部に対応する下方領域は、前身頃領域に対して前方向に傾斜し、下方領域よりも上の上方領域は、前身頃領域に対して水平であることを特徴とし、適度なフィット性を備えつつ、局部の揺れを抑えることができ、かつ、局部のムレを防ぐことのできるボトム衣類なども開発されている。
【先行技術文献】
【特許文献】
【０００４】
【特許文献１】特開２０１７−２５４５０号公報
【考案の概要】
【考案が解決しようとする課題】
【０００５】
ブリーフなどの伸縮性がある素材により形成されているアンダーパンツは身体に密着するが、その伸縮性がある素材よりもトランクスのように伸縮性がない綿の肌触りを好む人がいる。しかしながら、トランクスは伸縮性がないため太股部分に余裕が持たせてあり、ヒラヒラしていてフィット感がないという問題がある。
【０００６】
そこで、本考案では、トランクスなどの伸縮性のない綿などの非伸縮性素材により形成されたアンダーパンツにおいて、その太股部分のフィット感を改善したアンダーパンツを提供することを目的とする。
【課題を解決するための手段】
【０００７】
本考案のアンダーパンツは、非伸縮性素材により形成された前身頃部と、非伸縮性素材により形成された後身頃部と、前身頃部と後身頃部との接続部に伸縮性素材により形成された伸縮部とを有するものである。本考案のアンダーパンツによれば、前身頃部および後身頃部により非伸縮性素材の肌触りが得られるとともに、前身頃部と後身頃部との接続部に伸縮性素材により形成された伸縮部が伸縮することによって太股部分のフィット感が得られる。
【０００８】
ここで、本考案のアンダーパンツは、前身頃部および後身頃部の上端部に形成された伸縮性の腰回り部を有し、伸縮部は、腰回り部を除く前身頃部と後身頃部との外側の接続部の全体に設けられたものであることが望ましい。これにより、腰回り部はそれ自身が伸縮することにより腰回りにフィットし、腰回りより下の太股部分までについては、腰回り部を除く前身頃部と後身頃部との外側の接続部の全体に設けられた伸縮部が伸縮することによってフィットするようになる。
【０００９】
また、伸縮部は、下方に向かうにつれて幅広となるように設けられたものであることが望ましい。これにより、伸縮部が、下方に向かうにつれて伸縮範囲が広くなるため、太股部分へのフィット感が向上する。
【００１０】
また、伸縮部は、前身頃部と後身頃部との内側の接続部に設けられたものとすることができる。これにより、前身頃部と後身頃部との内側の接続部に設けられた伸縮部が伸縮することによって、太股部分へフィットするようになる。
【考案の効果】
【００１１】
（１）非伸縮性素材により形成された前身頃部と、非伸縮性素材により形成された後身頃部と、前身頃部と後身頃部との接続部に伸縮性素材により形成された伸縮部とを有する構成により、非伸縮性素材の肌触りと太股部分のフィット感が改善されたアンダーパンツが得られる。
【００１２】
（２）前身頃部および後身頃部の上端部に形成された伸縮性の腰回り部を有し、伸縮部は、腰回り部を除く前身頃部と後身頃部との外側の接続部の全体に設けられたものであることにより、腰回り部はそれ自身が伸縮することにより腰回りにフィットし、腰回りより下の太股部分までについては、腰回り部を除く前身頃部と後身頃部との外側の接続部の全体に設けられた伸縮部が伸縮することによってフィットするアンダーパンツが得られる。
【００１３】
（３）伸縮部が下方に向かうにつれて幅広となるように設けられたものであることにより、太股部分へのフィット感がより向上したアンダーパンツが得られる。
【００１４】
（４）伸縮部が前身頃部と後身頃部との内側の接続部に設けられたものであることにより、前身頃部と後身頃部との内側の接続部に設けられた伸縮部が伸縮することによって、太股部分へフィットするアンダーパンツが得られる。
【図面の簡単な説明】
【００１５】
【図１】本考案の第１実施形態におけるアンダーパンツの正面図である。
【図２】図１のアンダーパンツの背面図である。
【図３】図１のアンダーパンツの右側面図である。
【図４】本考案の第２実施形態におけるアンダーパンツの右側面図である。
【図５】本考案の第３実施形態におけるアンダーパンツの右側面図である。
【図６】本考案の第４実施形態におけるアンダーパンツの正面図である。
【図７】本考案の第５実施形態におけるアンダーパンツの正面図である。
【考案を実施するための形態】
【００１６】
（実施の形態１）
図１は本考案の第１実施形態におけるアンダーパンツの正面図、図２は背面図、図３は右側面図である。
【００１７】
図１から図３に示すように、本考案の第１実施形態におけるアンダーパンツ１は、非伸縮性素材としての綿により形成された前身頃部２と、非伸縮性素材としての綿により形成された後身頃部３と、前身頃部２と後身頃部３との接続部に伸縮性素材としてのゴムにより形成された伸縮部４とを有するトランクスである。また、前身頃部２および後身頃部３の上端部には、伸縮性の腰回り部５が形成されている。
【００１８】
伸縮部４は、腰回り部５を除く前身頃部２と後身頃部３との左右両外側の接続部の全体に設けられている。また、左右の伸縮部４は、それぞれ下方に向かうにつれて幅広となるように設けられている。
【００１９】
上記構成のアンダーパンツ１によれば、前身頃部２および後身頃部３により非伸縮性の綿の肌触りが得られるとともに、前身頃部２と後身頃部３との接続部に伸縮性素材により形成された伸縮部４が伸縮することによって太股部分のフィット感が得られ、非伸縮性素材の肌触りと太股部分のフィット感が改善されたものとなる。
【００２０】
また、このアンダーパンツ１は、前身頃部２および後身頃部３の上端部に形成された伸縮性の腰回り部５を有し、伸縮部４は、腰回り部５を除く前身頃部２と後身頃部３との外側の接続部の全体に設けられたものであるため、腰回り部５はそれ自身が伸縮することにより使用者の腰回りにフィットし、腰回りより下の太股部分までについては、腰回り部５を除く前身頃部２と後身頃部３との外側の接続部の全体に設けられた伸縮部４が伸縮することによってフィットするようになる。
【００２１】
さらに、このアンダーパンツ１では、伸縮部４が下方に向かうにつれて幅広となるように設けられたものであるため、伸縮部４は下方に向かうにつれて伸縮範囲が広くなるため、太股部分へのフィット感がより向上している。
【００２２】
（実施の形態２）
図４は本考案の第２実施形態におけるアンダーパンツの右側面図である。なお、図４において上記実施形態と共通する構成部分については同一符号を付し、詳細な説明を省略する。
【００２３】
図４に示すように、本考案の第２実施形態におけるアンダーパンツ１Ａは、伸縮部４Ａが腰回り部５から下方の裾に至るまでほぼ同一幅に形成されたものである。このような構成によっても、前身頃部２および後身頃部３により非伸縮性の綿の肌触りが得られるとともに、前身頃部２と後身頃部３との接続部に伸縮性素材により形成された伸縮部４Ａが伸縮することによって太股部分のフィット感が得られ、非伸縮性素材の肌触りと太股部分のフィット感が改善されたものとなる。
【００２４】
（実施の形態３）
図５は本考案の第３実施形態におけるアンダーパンツの右側面図である。なお、図５において上記実施形態と共通する構成部分については同一符号を付し、詳細な説明を省略する。
【００２５】
図５に示すように、本考案の第３実施形態におけるアンダーパンツ１Ｂは、伸縮部４Ｂが腰回り部５を除く前身頃部２と後身頃部３との左右両外側の接続部の全体ではなく、腰回り部５から所定長さ下方の位置から裾に至るまで、前身頃部２と後身頃部３との左右両外側の接続部の一部に形成されたものである。また、伸縮部４Ｂは、下方に向かうにつれて幅広となるように設けられている。
【００２６】
このような構成によっても、前身頃部２および後身頃部３により非伸縮性の綿の肌触りが得られるとともに、前身頃部２と後身頃部３との接続部に伸縮性素材により形成された伸縮部４Ｂが伸縮することによって太股部分のフィット感が得られ、非伸縮性素材の肌触りと太股部分のフィット感が改善されたものとなる。
【００２７】
（実施の形態４）
図６は本考案の第４実施形態におけるアンダーパンツの正面図である。なお、図６において上記実施形態と共通する構成部分については同一符号を付し、詳細な説明を省略する。
【００２８】
図６に示すように、本考案の第４実施形態におけるアンダーパンツ１Ｃは、伸縮部４Ｃが前身頃部２と後身頃部３との内側の接続部（内股部分）に設けられたものである。このような構成によっても、前身頃部２および後身頃部３により非伸縮性の綿の肌触りが得られるとともに、前身頃部２と後身頃部３との接続部に伸縮性素材により形成された伸縮部４Ｃが伸縮することによって太股部分のフィット感が得られ、非伸縮性素材の肌触りと太股部分のフィット感が改善されたものとなる。
【００２９】
（実施の形態５）
図７は本考案の第５実施形態におけるアンダーパンツの正面図である。なお、図７において上記実施形態と共通する構成部分については同一符号を付し、詳細な説明を省略する。
【００３０】
図７に示すように、本考案の第５実施形態におけるアンダーパンツ１Ｄは、前述の第１実施形態における伸縮部４と第４実施形態における伸縮部４Ｃとの両方を備えたものである。このような構成によっても、前身頃部２および後身頃部３により非伸縮性の綿の肌触りが得られるとともに、前身頃部２と後身頃部３との接続部に伸縮性素材により形成された伸縮部４，４Ｃが伸縮することによって太股部分のフィット感が得られ、非伸縮性素材の肌触りと太股部分のフィット感が改善されたものとなる。
【００３１】
なお、上記実施形態においては、非伸縮性素材として非伸縮性の綿を使用した例について説明したが、他の非伸縮性素材としてシルクやレーヨンなどを使用した構成することも可能である。
【産業上の利用可能性】
【００３２】
本考案のアンダーパンツは、直接肌に着ける肌着としてのアンダーパンツとして有用であり、特に、非伸縮性素材の肌触りと太股部分のフィット感が改善されたアンダーパンツとして好適である。
【符号の説明】
【００３３】
１，１Ａ，１Ｂ，１Ｃ，１Ｄ  アンダーパンツ
２  前身頃部
３  後身頃部
４，４Ａ，４Ｂ，４Ｃ  伸縮部
５  腰回り部
【図１】
0003210370.tif 000003
【図２】
0003210370.tif 000004
【図３】
0003210370.tif 000005
【図４】
0003210370.tif 000006
【図５】
0003210370.tif 000007
【図６】
0003210370.tif 000008
【図７】
0003210370.tif 000009